(57)【要約】      （修正有）【課題】迅速に取り外すことができ、取り外し時の危険度を減少することができる空気調和機のドレン排水口用キャップを提供する。【解決手段】空気調和機の室外機の底板１１に設けられたドレン排水口１１ａｄ２に着脱可能に取り付けられる弾性変形可能なキャップ８０であって、前記ドレン排水口を覆うキャップ本体８１と、前記ドレン排水口の開口縁部１１ａｄ２１に係脱可能に係止する一対の係止爪８２と、前記一対の係止爪間の中間部と前記一対の係止爪とを接続する接続リブ８３と、前記キャップ本体の外面８１ｂに設けられた工具引っ掛けリブ８４とを有し、前記工具引っ掛けリブに棒状工具を引っ掛けて引っ張り方向の外力を加えることにより、前記一対の係止爪が互いに接近するよう前記キャップ本体を介して前記接続リブを弾性変形させて前記ドレン排水口の開口縁部から前記一対の係止爪を離脱可能としたことを特徴とする空気調和機のドレン排水口用キャップ。【選択図】図５
2019152409.tif 000002
【特許請求の範囲】
【請求項１】
空気調和機の室外機の筐体における底板に設けられたドレン排水口に着脱可能に取り付けられる弾性変形可能なキャップであって、
前記ドレン排水口を覆うキャップ本体と、前記キャップ本体の前記ドレン排水口に面する内面の外周部の対向位置に設けられて前記ドレン排水口の開口縁部に係脱可能に係止する一対の係止爪と、前記内面における前記一対の係止爪間の中間部と前記一対の係止爪とを接続する接続リブと、前記キャップ本体の前記内面とは反対側の外面に設けられた工具引っ掛けリブとを有し、
前記工具引っ掛けリブに棒状工具を引っ掛けて引っ張り方向の外力を加えることにより、前記一対の係止爪が互いに接近するよう前記キャップ本体を介して前記接続リブを弾性変形させて前記ドレン排水口の開口縁部から前記一対の係止爪を離脱可能としたことを特徴とする空気調和機のドレン排水口用キャップ。
【請求項２】
前記接続リブが、前記一対の係止爪と接続する端部接続部と、前記内面における前記中間部と接続する中間接続部とを有し、
前記工具引っ掛けリブが、前記外面における前記接続リブの前記中間接続部の対応位置に配置されている請求項１に記載のキャップ。
【請求項３】
前記工具引っ掛けリブが、棒状工具を差し込むための孔部または凹部を有しており、
前記キャップ本体の前記外面における前記工具引っ掛けリブの前記孔部または前記凹部と対向する位置に小突起状リブが設けられ、
前記小突起状リブを支点としかつ前記工具引っ掛けリブを作用点とする梃として棒状工具を使用可能とした請求項１または２に記載のキャップ。
【請求項４】
前記接続リブが、Ｖ形、Ｙ形または円弧形に形成されている請求項１〜３のいずれか１つに記載のキャップ。
【請求項５】
前記キャップ本体が、前記外周部における前記係止爪よりも外側近傍位置に工具差込用の予備孔を有する請求項１〜４のいずれか１つに記載のキャップ。
【請求項６】
前記キャップ本体が長円形に形成されると共に、前記キャップ本体の前記内面に二対の係止爪が長手方向に所定間隔をもって設けられている請求項１〜５のいずれか１つに記載のキャップ。
【発明の詳細な説明】
【技術分野】
【０００１】
本発明は、空気調和機のドレン排水口用キャップに関する。
【背景技術】
【０００２】
従来の空気調和機の室外機として、特許文献１では、工具を使用せずにドレンキャップをドレン排水口に取り付けおよび取り外しできるドレン排水構造が提案されている。
このドレン排水構造は、ドレン水を受けるドレンパンのドレン穴に筒状のドレン排水口を挿通してドレン水を排出するように形成したドレンソケットと、ドレン排水口の下端開口を閉塞するドレンキャップとを備える。
【０００３】
ドレンキャップは、ドレン排水口側に開口する円環状の凹部が形成された頭部を有し、ドレン排水口の下端部を頭部の凹部内に受け入れて螺合することによりドレン排水口に組み付けられる構成であり、凹部の内周面とドレン排水口の内周面とが螺合し、凹部の外周面とドレン排水口の外周面とが螺合するように構成され、内周面同士を螺合する内ネジ側が、外周面同士を螺合する外ネジ側よりもきつく締結するように形成されている。
【先行技術文献】
【特許文献】
【０００４】
【特許文献１】特開２０１１−１４９６３５号公報
【発明の概要】
【発明が解決しようとする課題】
【０００５】
一般に室外機のドレンパンには、開口したドレン排水口と、ドレンキャップにて塞がれた予備のドレン排水口が設けられているが、例えば、寒冷地ではドレンパンにて受けられたドレン水が凍結して開口したドレン排水口が塞がれてしまう場合がある。このような状況になると、ドレン水が外部へ排水されず、ドレンパン上に凍結したドレン水が堆積する可能性があるため、サービスマンが予備のドレン排水口を開けるメンテナンス作業を行う。
【０００６】
この際、サービスマンは、重い室外機を傾けこの状態を維持しながら室外機の下に腕を潜り込ませて予備のドレン排水口のドレンキャップを取り外す作業を行うが、特許文献１のドレン排水構造ではドレンキャップを何度も回す必要があるため取り外しに時間がかかり危険であった。
【０００７】
本発明は、このような課題に鑑みなされたものであり、迅速に取り外すことができ、取り外し時の危険度を減少することができる空気調和機のドレン排水口用キャップを提供することを目的とする。
【課題を解決するための手段】
【０００８】
かくして、本発明によれば、空気調和機の室外機の筐体における底板に設けられたドレン排水口に着脱可能に取り付けられる弾性変形可能なキャップであって、
前記ドレン排水口を覆うキャップ本体と、前記キャップ本体の前記ドレン排水口に面する内面の外周部の対向位置に設けられて前記ドレン排水口の開口縁部に係脱可能に係止する一対の係止爪と、前記内面における前記一対の係止爪間の中間部と前記一対の係止爪とを接続する接続リブと、前記キャップ本体の前記内面とは反対側の外面に設けられた工具引っ掛けリブとを有し、
前記工具引っ掛けリブに棒状工具を引っ掛けて引っ張り方向の外力を加えることにより、前記一対の係止爪が互いに接近するよう前記キャップ本体を介して前記接続リブを弾性変形させて前記ドレン排水口の開口縁部から前記一対の係止爪を離脱可能とした空気調和機のドレン排水口用キャップが提供される。
【発明の効果】
【０００９】
本発明の空気調和機のドレン排水口用キャップは、工具引っ掛けリブに棒状工具（例えば、マイナスドライバー）を引っ掛けて引っ張り方向の外力を加えることにより、一対の係止爪が互いに接近するようキャップ本体を弾性変形させてドレン排水口の開口縁部から一対の係止爪を離脱可能に構成されている。
この構成により、棒状工具を工具引っ掛けリブに引っ掛け、棒状工具で工具引っ掛けリブを引っ張るというツーステップの動作で迅速にキャップを取り外すことができると共に、棒状工具を室外機の下に潜り込ませる分だけ腕を潜り込ませずに済むため、キャップの取り外しを能率的にかつ危険度を減少させて行うことができる。
【図面の簡単な説明】
【００１０】
【図１】本発明のドレン排水口用キャップが使用される空気調和機の室外機の内部構成を説明する分解図である。
【図２】図１の室外機を斜め下方から視た斜視図である。
【図３】図１の室外機の筐体における底板の一部を示す斜視図である。
【図４】実施形態１のドレン排水口用キャップであって（Ａ）は表側から視た斜視図、（Ｂ）は裏側から視た斜視図である。
【図５】実施形態１のキャップの断面図である。
【図６】実施形態１のキャップのドレン排水口からの取り外し動作を説明する図であって（Ａ）は第１ステップ、（Ｂ）は第２ステップを示す。
【図７】実施形態２のドレン排水口用キャップの断面図である。
【図８】実施形態３のドレン排水口用キャップの断面図である。
【図９】実施形態４のドレン排水口用キャップの断面図である。
【図１０】実施形態５のドレン排水口用キャップであって（Ａ）は表側から視た斜視図、（Ｂ）は裏側から視た斜視図である。
【図１１】実施形態５のキャップのドレン排水口からの取り外し操作を説明する図であって（Ａ）は動作前、（Ｂ）は第１ステップ、（Ｃ）は第２ステップを示す。
【発明を実施するための形態】
【００１１】
（実施形態１）
室内熱交換器を有する室内機と室外熱交換器を有する室外機とからなるセパレート型空気調和機を用いて説明する。
図１は本発明のドレン排水口用キャップが使用される空気調和機の室外機の内部構成を説明する分解図であり、図２は図１の室外機を底面側から視た斜視図である。
【００１２】
＜室外機の全体構成＞
実施形態１の空気調和機の室外機１は、図１に示すように、直方体形の筐体１０と、筐体１０内に収納された熱交換器（室外熱交換器）２０、モータ３０ａおよびプロペラファン３０ｂを有するファン３０、圧縮機４０、配管部５０およびケース（電装ボックス）にて覆われた回路基板６０と、ファン３０を支持するファン支持部材（モータアングル）７０と、筐体１０の一側面に取り付けられたカバー９３内に収納された図示しない二方弁および三方弁とを主たる構成要素として備える。
【００１３】
筐体１０は、底板（ドレンパン）１１、左右の側板１２、１３、前板１４、格子状の吸気口を有する後板１５および天板１６を有し、これらがビスにて連結して組み立てられる。
前板１４には、円形の吹出口１４ａが設けられると共に、吹出口１４ａに円形のファンガード１４ｂが取り付けられている。
熱交換器２０は、筐体１０の左側板１２と後板１５と右側板１３の内面に沿うように底板１１にて支持されると共に、配管部５０と接続されている。
【００１４】
また、筐体１０内には、ファン３０を収納する左側スペースと圧縮機４０および配管部５０を収納する右側スペース（機械室）とを遮蔽する遮蔽板１７が底板１１にて支持されるよう設けられている。左側スペースにおける左右の略中間位置にかつ熱交換器２０に沿ってファン支持部材（モータアングル）７０が底板１１にて支持されるよう設けられ、電装ボックス（回路基板６０）を水平状に支持する支持板１９がファン支持部材７０にて支持されるよう設けられている。
【００１５】
配管部５０は、膨張弁またはキャピラリーチューブまたはその両方を有しかつ熱交換器２０と二方弁（不図示）とを接続する冷媒配管部と、四方弁を有しかつ熱交換器２０および三方弁（不図示）を前記四方弁を介して圧縮機４０に接続する冷媒配管部とを備える。
なお、二方弁および三方弁は、冷媒を流通させる渡り配管としての図示しない第１配管および第２配管を介して室内機の室内熱交換器（不図示）と接続される。
すなわち、圧縮機、四方弁、室外熱交換器、膨張機構（膨張弁、キャピラリーチューブ）、二方弁、第１配管、室内熱交換器、第２配管、三方弁にて冷凍サイクルが形成されている。
【００１６】
空気調和機の運転時、室外機１においては、圧縮機４０の駆動により冷媒が循環して熱サイクル（冷凍サイクル）が運転される。この際、ファン３０を駆動することにより熱交換器２０の周囲に気流が生じ、回転するプロペラファン３０ｂの吸引力によって外気が吸込され、熱交換器２０を通過して筐体１０内に流入する。熱交換器２０を通過した外気は熱交換されて吹出口１４ａから外部に吹き出される。
【００１７】
また、冷媒が図示しない第１配管と第２配管を介して室外機１と図外の室内機との間を循環し、室外機１の二方弁および三方弁のうちの一方には高温の冷媒が流れ、他方には低温の冷媒が流れる。具体的には、空気調和機の通常の冷房運転時には、圧縮機から吐出された高温高圧の気体冷媒は、四方弁を介して、室外熱交換器に流入する。室外熱交換器にて放熱し、中温高圧の液冷媒となり、膨張弁にて、低温低圧の液冷媒となる。二方弁に低温低圧の液冷媒が流れ、第１配管を通って、室内熱交換器に流入する。室内熱交換器にて吸熱し中温（通常、室内熱交換器に流入する液冷媒よりも高温）低圧の気体冷媒となる、気体冷媒は第２配管を通り、三方弁に中温の気体冷媒が流れる。気体冷媒は四方弁を介して、圧縮機に流入する。すなわち、通常の冷房運転時においては、基本的には二方弁の温度は三方弁の温度よりも低くなる。
通常の暖房運転時には圧縮機から吐出された高温高圧の冷媒は、四方弁を介して、三方弁を通る。すなわち、三方弁には、高温高圧の気体冷媒が流れる。三方弁を通った冷媒は、第２配管を通り、室内熱交換器に流入する。室内熱交換器にて放熱し、中温高圧（通常、室内熱交換器に流入する気体冷媒よりも低温）の液冷媒となり、第１配管を通って、二方弁に流入する。すなわち、二方弁には低温の液体冷媒が流れる。その後、膨張弁にて、低温低圧の液冷媒となり、室外熱交換器に流入する。室外熱交換器にて吸熱し、中温低圧の気体冷媒となり、四方弁を介して、圧縮機に流入する。すなわち、通常の暖房運転時においては、基本的には二方弁の温度は三方弁の温度よりも低くなる。
すなわち、通常の冷房運転時、通常の暖房運転時いずれにおいても、基本的には二方弁を流れる冷媒の温度は、三方弁を流れる冷媒の温度よりも低くなる。
【００１８】
＜ドレン排水口およびドレン排水口用キャップについて＞
図３は図１の室外機の筐体における底板の一部を示す斜視図であり、図４は実施形態１のドレン排水口用キャップであって（Ａ）は表側から視た斜視図、（Ｂ）は裏側から視た斜視図である。また、図５は実施形態１のキャップの断面図であり、図６は実施形態１のキャップのドレン排水口からの取り外し動作を説明する図であって（Ａ）は第１ステップ、（Ｂ）は第２ステップを示す。
【００１９】
図１〜図３に示すように、筐体１０の底板１１は、均一な厚さの金属板（例えば、ステンレス鋼製）がプレス成型されたものであり、底部１１ａおよびその外周部から起立して設けられた周囲壁部１１ｂを有し、底部１１ａには一部が盛り上がった所定パターン形状の隆起部１１ａ1が設けられると共に、底部１１ａにおける低い位置にドレン排水口１１ａｄ1が設けられている。なお、底板１１の溝部１１ａ2の裏（下面）には左右一対の支持脚１８が取り付けられており、一対の支持脚１８によって底板１１が設置面から浮き上がっている。
【００２０】
この底板１１は、その機械室側の隆起部１１ａ1の一部に圧縮機４０が取り付けられ、かつ筐体１０内の水滴が隆起部１１ａ1の周囲の低い溝部１１ａ2を通ってドレン排水口１１ａｄ1へ導かれるように構成されている。なお、隆起部１１ａ1を設けることによってその周囲を溝部１１ａ2として形成し、かつ底板１１の強度を高めている。
【００２１】
また、底板１１の隆起部１１ａ1は、溝部１１ａ2から一段盛り上がった低い隆起部１１ａ11と、低い隆起部１１ａ11よりも高く盛り上がった高い隆起部１１ａ12とを有してなり、低い隆起部１１ａ11と高い隆起部１１ａ12にもそれぞれ予備のドレン排水口１１ａｄ2が設けられ、通常これら予備のドレン排水口１１ａｄ2は本発明のドレン排水口用キャップ８０にて塞がれている（図２と図５参照）。
【００２２】
図５に示すように、実施形態１の場合、予備のドレン排水口１１ａｄ2は、長円形孔部の周囲から起立した長円環リブ状の開口端縁１１ａｄ21を有しており、このドレン排水口１１ａｄ2の下側からキャップ８０が嵌め込まれる。
【００２３】
図４と図５に示すように、キャップ８０は、長円形のドレン排水口１１ａｄ2を覆う長円形のキャップ本体８１と、キャップ本体８１のドレン排水口１１ａｄ2に面する内面８１ａの外周部対向位置に設けられてドレン排水口１１ａｄ2の開口縁部１１ａｄ21に係脱可能に係止する二対の係止爪８２と、内面８１ａにおける各対の係止爪８２、８２間の中間部と各対の係止爪８２とを接続するＶ形の接続リブ８３と、キャップ本体８１の内面８１ａとは反対側の外面８１ｂに設けられた２つの工具引っ掛けリブ８４と、外面８１ｂにおける２つの工具引っ掛けリブ８４の両側にそれぞれ設けられた小突起状リブ８５とを有し、全体として弾性変形可能な熱可塑性樹脂（例えば、ＰＰ）にて一体成形されている。
【００２４】
キャップ本体８１は、僅かに凹んだ凹曲面状の前記内面８１ａと、僅かに膨らんだ凸曲面状の前記外面８１ｂとを有する。
さらに、キャップ本体８１は、ドレン排水口１１ａｄ2の内周面に沿って嵌め込まれるよう各係止爪８２よりも低い高さで内面８１ａに設けられた直線形および湾曲形の内周リブ８１ａ1と、底板１１の下面に当接するよう内面８１ａにおける内周リブ８１ａ1よりも外周に設けられた外周リブ８１ａ2と、外周部における長手方向（矢印Ｘ方向）の中間位置に設けられた一対の切欠き部８１ａ3とを有する。
【００２５】
係止爪８２は、キャップ本体８１の内面８１ａに起立する小片およびその先端部に設けられた外側へ突出する爪を有してなる。
一対の係止爪８２はキャップ本体８１の内面８１ａの外周部であって長手方向（矢印Ｘ方向）の中間位置よりも一端部８１ｃ寄りに設けられ、もう一対の係止片８２は長手方向の中間位置よりも他端部８１ｄ寄りに設けられている。
【００２６】
接続リブ８３は、対向位置に設けられた一対の係止爪８２と接続する端部接続部８３ａと、キャップ本体８１の内面８１ａにおける幅方向（矢印Ｙ方向）の中間部と接続する中間接続部８３ｂとを有し、長手方向（矢印Ｘ方向）から視てＶ形に屈曲した棒状のリブである。
【００２７】
一対の工具引っ掛けリブ８４は、キャップ本体８１の外面８１ｂであって一対の接続リブ８３の中間接続部８３ｂの真裏位置にそれぞれ設けられており、幅方向（矢印Ｙ方向）から視て各中間接続部８３ｂを跨ぐＵ形に形成されている。すなわち、一対の工具引っ掛けリブ８４は、各中間接続部８３ｂに対応する位置に幅方向に開口する工具差込用孔部８４ａをそれぞれ有している。なお、この工具差込用孔部８４ａは、マイナスドライバーの先端部のように棒状工具の扁平な先端部が差し込まれるようになっており、これについて詳しくは後述する。
【００２８】
４つの小突起状リブ８５は、キャップ本体８１の外面８１ｂにおける各工具引っ掛けリブ８４の幅方向（矢印Ｙ方向）の両側位置であって、各係止爪８２の真裏位置近傍に設けられた長手方向（矢印Ｘ方向）に延びる突条であり、工具引っ掛けリブ８４と同等の長さおよび工具引っ掛けリブ８４よりも低い高さを有する。
【００２９】
図５に示すように、予備のドレン排水口１１ａｄ2に嵌め込まれたキャップ８０において、４つの係止爪８２はドレン排水口１１ａｄ2の開口端縁１１ａｄ21に係止している。
ドレン排水口１１ａｄ2からキャップ８０を取り外す際、サービスマンは室外機１の筐体１０を傾けて取り外すべきキャップ８０の位置を確認し、その後、図２と図６（Ａ）に示すように、例えばマイナスドライバーＤを用いてその扁平な先端部Ｄｅを一端部８１ｃ側の工具引っ掛けリブ８４の孔部８４ａに差し込む。このとき、マイナスドライバーＤの先端部Ｄｅの平坦面が、先端部Ｄを差し込んだ側の小突起状リブ８５に当接する。
【００３０】
次に、図２と図６（Ｂ）に示すように、マイナスドライバーＤの取っ手を矢印Ａ方向に移動させることにより、マイナスドライバーＤが梃となり、マイナスドライバーＤの取っ手が力点となり、キャップ小突起状リブ８５が支点となり、マイナスドライバーＤの先端部Ｄｅが作用点となってキャップ８０の工具引っ掛けリブ８４が大きな力で矢印Ｂ方向に引っ張られることとなる。
【００３１】
これにより、外面８１ｂの凸形状および内面８１ａの凹形状が大きくなるようキャップ本体８１が弾性変形し、かつ接続リブ８３の中間接続部８３ｂ（図５参照）が矢印Ｂ方向に引っ張られ、一対の係止爪８２が接続リブ８３の方向（矢印Ｃ方向）に弾性変形して互いに引き寄せられる。この結果、一対の係止爪８２がドレン排水口１１ａｄ2の開口端縁１１ａｄ21から離脱する。なお、このとき他方の一対の係止爪８２は未だドレン排水口１１ａｄ2の開口端縁１１ａｄ21に係止した状態である。
【００３２】
キャップ８０の一端部８１ｃ側の一対の係止爪８２がドレン排水口１１ａｄ2の開口端縁１１ａｄ21から離脱した状態となると、マイナスドライバーＤにて工具引っ掛けリブ８４をさらに矢印Ｂ方向に引っ張ると一対の係止爪８２がドレン排水口１１ａｄ2の中に入り込んで離脱状態が維持されるため、マイナスドライバーＤの先端部Ｄｅを一端部８１ｃ側の工具引っ掛けリブ８４から引き抜く。この際、キャップ８０と底板１１との間の隙間に例えば楔形の木片を差し込んで一対の係止爪８２が再びドレン排水口１１ａｄ2に係止しないようにしてもよい。
【００３３】
次に、キャップ８０の他端部８１ｄ側の工具引っ掛けリブ８４にマイナスドライバーＤの先端部Ｄｅを差し込んで前記と同様に梃の操作を行って他端部８１ｄ側の一対の係止爪８２をドレン排水口１１ａｄ2の開口端縁１１ａｄ21から離脱させると、キャップ８０がドレン排水口１１ａｄ2から取り外される。
【００３４】
このように、本発明のドレン排水口用のキャップ８０によれば、棒状工具（この場合、マイナスドライバーＤ）を工具引っ掛けリブ８４に引っ掛け、棒状工具で工具引っ掛けリブ８４を引っ張るというツーステップの動作で迅速にキャップ８０を取り外すことができると共に、棒状工具を室外機１の下に潜り込ませる分だけ腕を潜り込ませずに済むため、キャップ８０の取り外しを能率的にかつ危険度を減少させて行うことができる。
【００３５】
（実施形態２）
図７は実施形態２のドレン排水口用キャップの断面図である。なお、図７において、図５中の要素と同様の要素には同一の符号を付している。
実施形態２のキャップ１８０は、接続リブ１８３の形状が実施形態１における接続リブ８３の形状とは異なること以外は、実施形態１と同様である。
【００３６】
実施形態２の場合、接続リブ１８３は、対向位置に設けられた一対の係止爪８２と接続する端部接続部１８３ａと、キャップ本体８１の内面８１ａにおける幅方向（矢印Ｙ方向）の中間部と接続する中間接続部１８３ｂとを有し、長手方向（矢印Ｘ方向）から視てＹ形に形成されたリブである。
Ｙ形の接続リブ１８３を有するキャップ１８０も、実施形態１と同様にマイナスドライバーを用いてドレン排水口１１ａｄ2から取り外す際に、Ｙ形の接続リブ１８３を介して一対の係止爪８２が互いに引き寄せられるように弾性変形してドレン排水口１１ａｄ2の開口端縁１１ａｄ21から離脱する（図６（Ｂ）参照）。
【００３７】
（実施形態３）
図８は実施形態３のドレン排水口用キャップの断面図である。なお、図８において、図５中の要素と同様の要素には同一の符号を付している。
実施形態３のキャップ２８０も、接続リブ２８３の形状が実施形態１における接続リブ８３の形状とは異なること以外は、実施形態１と同様である。
【００３８】
実施形態３の場合、接続リブ２８３は、対向位置に設けられた一対の係止爪８２と接続する端部接続部２８３ａと、キャップ本体８１の内面８１ａにおける幅方向（矢印Ｙ方向）の中間部と接続する中間接続部２８３ｂとを有し、長手方向（矢印Ｘ方向）から視て円弧形に形成されたリブである。
円弧形の接続リブ２８３を有するキャップ２８０も、実施形態１と同様にマイナスドライバーを用いてドレン排水口１１ａｄ2から取り外す際に、円弧形の接続リブ２８３を介して一対の係止爪８２が互いに引き寄せられるように弾性変形してドレン排水口１１ａｄ2の開口端縁１１ａｄ21から離脱する（図６（Ｂ）参照）。
【００３９】
（実施形態４）
図９は実施形態４のドレン排水口用キャップの断面図である。なお、図９において、図５中の要素と同様の要素には同一の符号を付している。
実施形態４のキャップ３８０は、工具引っ掛けリブ３８４の形状が実施形態１における工具引っ掛けリブ８４の形状とは異なること以外は、実施形態１と同様である。
【００４０】
実施形態３の場合、工具引っ掛けリブ３８４は、長手方向（矢印Ｘ方向）（図４（Ａ）参照）から視てＴ形に形成されており、幅方向（矢印Ｙ方向）の両側に工具差込用の凹部３８４ａが設けられている。
Ｔ形の工具引っ掛けリブ３８４も、実施形態１と同様にマイナスドライバーを用いてドレン排水口１１ａｄ2から取り外す際に、マイナスドライバーの先端部を凹部３８４ａに差し込み、マイナスドライバーを梃として工具引っ掛けリブ３８４を引っ張ることにより、Ｖ形の接続リブ８３を介して一対の係止爪８２が互いに引き寄せられるように弾性変形してドレン排水口１１ａｄ2の開口端縁１１ａｄ21から離脱する（図６（Ｂ）参照）。
【００４１】
（実施形態５）
図１０は実施形態５のドレン排水口用キャップであって（Ａ）は表側から視た斜視図、（Ｂ）は裏側から視た斜視図である。また、図１１は実施形態５のキャップのドレン排水口からの取り外し操作を説明する図であって（Ａ）は動作前、（Ｂ）は第１ステップ、（Ｃ）は第２ステップを示す。なお、図１０と図１１において、図４と図６中の要素と同様の要素には同一の符号を付している。
実施形態５のキャップ４８０は、そのキャップ本体４８１が外周部における各係止爪８２よりも外側近傍位置に工具差込用の予備孔４８１ｅを有していること以外は、実施形態１と同様である。
【００４２】
図２、図６（Ａ）および（Ｂ）で説明した実施形態１のキャップ８０のドレン排水口１１ａｄ2からの取り外しの際、キャップ８０の向きや位置、サービスマンの体勢等によってマイナスドライバーＤを工具引っ掛けリブ８４に引っ掛けにくい場合、あるいはマイナスドライバーＤを工具引っ掛けリブ８４に引っ掛けてもキャップ８０を外しにくい場合が仮にあったとしても、実施形態５のキャップ４８０はマイナスドライバーＤを予備孔４８１ｅに差し込んでドレン排水口１１ａｄ2の開口縁部１１ａｄ21から係止爪８２を直接的に離脱させることができるため、確実にキャップ４８０を取り外すことが可能となる。
【００４３】
この際、図１１（Ａ）に示すように、まず、１つの予備孔４８１ｅの開口部にマイナスドライバーＤの先端部Ｄｅを挿入した後、図１１（Ｂ）に示すように先端部Ｄｅを予備孔４８１ｅに貫通させるように矢印Ｅ方向に押し込み、図１１（Ｃ）に示すように先端部Ｄｅを矢印Ｆ方向に揺動させて係止爪８２を内側へ押すことにより、１つの係止爪８２がドレン排水口１１ａｄ2の開口縁部１１ａｄ21から離脱する。
【００４４】
このとき、係止爪８２がドレン排水口１１ａｄ2の中に入り込んで離脱状態が維持されるため、マイナスドライバーＤを予備孔４８１ｅから抜き取り、キャップ長手方向（矢印Ｘ方向）の隣の次の予備孔４８１ｅに先端部Ｄｅを差し込んで同様の操作を行うことにより、長手方向の２つの係止爪８２がドレン排水口１１ａｄ2の開口縁部１１ａｄ21から離脱する。この際、キャップ４８１と底板１１との間の隙間に例えば楔形の木片を差し込んで一対の係止爪８２が再びドレン排水口１１ａｄ2に係止しないようにしてもよい。
その後、幅方向（矢印Ｙ方向）の反対側の２つの係止爪８２も同様にドレン排水口１１ａｄ2の開口縁部１１ａｄ21から離脱させることにより、キャップ４８０をドレン排水口１１ａｄ2から取り外すことができる。
【００４５】
（他の実施形態）
１．実施形態１〜５では小突起状リブを有するキャップを例示したが、小突起状リブを省略してもよい。この場合、梃の支点となる突起物をマイナスドライバーの先端部平坦面に貼り付ければよい。あるいは、室外機の底板の一部を支点として利用してもよい。
２．実施形態１〜５では二対の係止爪を有するキャップを例示したが、キャップの長さが短い場合は係止爪を一対とし、かつ接続リブ、工具引っ掛けリブ、小突起状リブおよび予備孔の数もそれに対応させてもよい。
【００４６】
（まとめ）
本発明の空気調和機のドレン排水口用キャップは、空気調和機の室外機の筐体における底板に設けられたドレン排水口に着脱可能に取り付けられる弾性変形可能なキャップであって、
前記ドレン排水口を覆うキャップ本体と、前記キャップ本体の前記ドレン排水口に面する内面の外周部の対向位置に設けられて前記ドレン排水口の開口縁部に係脱可能に係止する一対の係止爪と、前記内面における前記一対の係止爪間の中間部と前記一対の係止爪とを接続する接続リブと、前記キャップ本体の前記内面とは反対側の外面に設けられた工具引っ掛けリブとを有し、
前記工具引っ掛けリブに棒状工具を引っ掛けて引っ張り方向の外力を加えることにより、前記一対の係止爪が互いに接近するよう前記キャップ本体を介して前記接続リブを弾性変形させて前記ドレン排水口の開口縁部から前記一対の係止爪を離脱可能としたものである。
【００４７】
本発明の空気調和機のドレン排水口用キャップは、次のように構成されてもよく、それらが適宜組み合わされてもよい。
（１）前記接続リブが、前記一対の係止爪と接続する端部接続部と、前記内面における前記中間部と接続する中間接続部とを有し、
前記工具引っ掛けリブが、前記外面における前記接続リブの前記中間接続部の対応位置に配置されてもよい。
この構成によれば、工具引っ掛けリブにかかる引っ張り方向の外力を効率よく接続リブに伝えることができ、それによって一対の係止爪が互いに接近する方向に弾性変形しやすくなるため、軽い力でもドレン排水口からキャップを取り外すことが可能となる。
【００４８】
（２）前記工具引っ掛けリブが、棒状工具を差し込むための孔部または凹部を有しており、
前記キャップ本体の前記外面における前記工具引っ掛けリブの前記孔部または前記凹部と対向する位置に小突起状リブが設けられ、
前記小突起状リブを支点としかつ前記工具引っ掛けリブを作用点とする梃として棒状工具を使用可能としてもよい。
この構成によれば、棒状工具（例えば、マイナスドライバー）を工具引っ掛けリブの孔部または凹部に差し込み、かつ棒状工具の軸部を小突起状リブに押し付けることにより、棒状工具を梃として用いてより軽い力でドレン排水口からキャップを容易に取り外すことが可能となる。
【００４９】
（３）前記接続リブが、Ｖ形、Ｙ形または円弧形に形成されてもよい。
この構成によれば、一対の係止爪と内面との間の隅部に隙間を有する弾性変形しやすい形状に接続リブを形成することができるため、軽い力でもドレン排水口からキャップを取り外すことが可能となる。
【００５０】
（４）前記キャップ本体が、前記外周部における前記係止爪よりも外側近傍位置に工具差込用の予備孔を有してもよい。
この構成によれば、例えば、キャップの向きや位置、サービスマンの体勢等によって棒状工具を工具引っ掛けリブに引っ掛けにくい場合、あるいは棒状工具を工具引っ掛けリブに引っ掛けてもキャップを外しにくい場合でも、棒状工具を予備孔に差し込んでドレン排水口の開口縁部から係止爪を離脱させることができるため、確実にキャップを取り外すことが可能となる。
【００５１】
（５）前記キャップ本体が長円形に形成されると共に、前記キャップ本体の前記内面に二対の係止爪が長手方向に所定間隔をもって設けられてもよい。
この構成によれば、長円形のドレン排水口にキャップを対応させることができる。
【００５２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５３】
１  室外機
１０  筐体
１１  底板
１１ａｄ1、１１ａｄ2  ドレン排水口
１１ａｄ21  開口縁部
８０、１８０、２８０、３８０、４８０  キャップ
８１  キャップ本体
８１ａ  内面
８１ｂ  外面
８２  係止爪
８３、１８３、２８３  接続リブ
８３ａ  端部接続部
８３ｂ  中間接続部
８４、３８４  工具引っ掛けリブ
８４ａ  孔部
８５  小突起状リブ
３８４ａ  凹部
４８１ｅ  予備孔
Ｄ  マイナスドライバー（棒状工具）
【図１】
2019152409.tif 000003
【図２】
2019152409.tif 000004
【図３】
2019152409.tif 000005
【図４】
2019152409.tif 000006
【図５】
2019152409.tif 000007
【図６】
2019152409.tif 000008
【図７】
2019152409.tif 000009
【図８】
2019152409.tif 000010
【図９】
2019152409.tif 000011
【図１０】
2019152409.tif 000012
【図１１】
2019152409.tif 000013